(57)【要約】【課題】保冷時間が長く温度変化による患者への負担を軽減可能な冷却手袋の提供を目的とした。【解決手段】冷却手袋は、冷却剤１４を収容する収容空間１６と、手を挿入可能な挿入空間１２とを有し、両者の間を内面部１８によって隔てた構成とされている。また、冷却手袋は、収容空間１６と外部雰囲気とを隔てる外面部２０を有する。収容空間１６は、挿入空間１２の外側に形成されている。外面部２０は、多層構造を有する布地によって構成されており、冷却剤１４の冷気が外部に放出されにくい。また、内面部１８が挿入空間１２側にメッシュ層Ｐ１が向くように配されているため、挿入空間１２に挿入された手との接触面積が小さく、手が急激に温度低下するのを防止できる。【選択図】図２
2010229614.tif 000002
【特許請求の範囲】
【請求項１】
冷却剤と、
冷却剤を収容する収容空間と、
手を挿入可能な挿入空間と、
前記収容空間と前記挿入空間とを隔てる内面部と、
前記収容空間と外部雰囲気とを隔てる外面部と、を有し、
前記収容空間は、前記挿入空間の外側に形成され、
前記外面部の全部又は一部が、多層構造を有する布地であることを特徴とする、
冷却手袋。
【請求項２】
前記外面部のうち、外側に露出した面の全部又は一部が、凹凸状の断面形状を有する布地によって形成されていることを特徴とする、
請求項１に記載の冷却手袋。
【請求項３】
前記内面部のうち、前記挿入空間側を向く面の全部又は一部が、凹凸状の断面形状を有する布地によって形成されていることを特徴とする、
請求項１又は２に記載の冷却手袋。
【請求項４】
前記内面部のうち、前記挿入空間側を向く面の全部又は一部が、連続する無数の網目状構造を有する布地によって形成されていることを特徴とする、
請求項１〜３のいずれかに記載の冷却手袋。
【請求項５】
前記内面部の全部又は一部が、多層構造を有する布地によって形成されていることを特徴とする、
請求項１〜４のいずれか一項に記載の冷却手袋。
【請求項６】
前記収容空間の開閉を自在にする入口部を有し、
前記入口部を介して前記収容空間に対して前記冷却剤を出し入れ自在であり、
前記入口部を閉状態にすることにより、前記収容空間が閉空間となることを特徴とする、
請求項１〜５いずれか一項に記載の冷却手袋。
【請求項７】
前記入口部は、挿入空間に手を挿入した際に小指側になる部分に設けられることを特徴とする、
請求項６に記載の手袋。
【請求項８】
前記収容空間は、前記挿入空間の両外側に設けられることを特徴とする、
請求項１〜７いずれか一項に記載の冷却手袋。
【請求項９】
前記挿入空間に対して一方側に設けられた前記収容空間及び他方側に設けられた前記収容空間の双方に、同一の入口部を介して前記冷却剤を出し入れ可能であることを特徴とする、
請求項８に記載の冷却手袋。
【発明の詳細な説明】
【技術分野】
【０００１】
本発明は、抗癌剤などの薬剤の有害反応を防止するために使用される冷却手袋に関する。
【背景技術】
【０００２】
従来より、副作用として有害反応を生じる薬剤であっても、治療目的の達成のためには使用せざるを得ない場合があり、有害反応の防止や緩和のために様々な方策が採られている。具体的には、抗癌剤などを用いた場合には、有害反応として爪の剥離や変色などの爪の障害や、手の皮膚の障害などが生じることがある。このような薬剤による有害反応を防止するためには、冷却が効果的であることが知られている。
【０００３】
そこで、かかる知見に基づき、抗癌剤の有害反応のひとつである脱毛を防止するために、下記特許文献１に開示されているような頭部保冷用のゲルが提供されている。また、爪の障害を防ぐため、冷却手袋が効果的であるという報告がなされている（非特許文献１）。
【先行技術文献】
【特許文献】
【０００４】
【特許文献１】特開昭５７−２２３０２８号公報
【非特許文献】
【０００５】
【非特許文献１】Florian Scotte et al，“Multicenter Study of a Frozen Glove to Prevent Docetaxel-Induced Onycholysis and Cutaneous Toxicity of the Hand”，Journal of Clinical Oncology, Vol 23, 2005
【発明の概要】
【発明が解決しようとする課題】
【０００６】
しかし、上記した従来技術の冷却手袋では、手を保冷できる時間が短く、有害反応の防止効果や緩和効果が十分得られない可能性があった。また、従来技術の冷却手袋では、冷却剤が一様に肌に接するため、温度変化が急激で、患者への負担が大きいという問題もあった。
【０００７】
そこで、本発明は、保冷時間が長く温度変化による患者への負担を軽減可能な冷却手袋の提供を目的とした。
【課題を解決するための手段】
【０００８】
上記した課題を解決すべく提供される本発明の冷却手袋は、冷却剤と、冷却剤を収容する収容空間と、手を挿入可能な挿入空間と、前記収容空間と前記挿入空間とを隔てる内面部と、前記収容空間と外部雰囲気とを隔てる外面部と、を有している。前記収容空間は、前記挿入空間の外側に形成され、前記外面部の全部又は一部が、多層構造を有する布地によって構成されている。また、本発明の冷却手袋は、前記外面部のうち、外側に露出した面の全部又は一部が、凹凸状の断面形状を有する布地によって形成されたものであってもよい。
【０００９】
上述した本発明の冷却手袋は、前記内面部のうち、前記挿入空間側を向く面の全部又は一部が、凹凸状の断面形状を有する布地によって形成されていることが好ましい。前記内面部のうち、前記挿入空間側を向く面の全部又は一部は、連続する無数の網目状構造を有する布地によって形成されていてもよい。また、内面部は、全部又は一部が、多層構造を有する布地によって形成されていることが好ましい。
【００１０】
上述した本発明の冷却手袋は、前記収容空間の開閉を自在にする入口部を有することが好ましい。また、本発明の冷却手袋は、前記入口部を介して前記収容空間に対して前記冷却剤を出し入れ自在なものであることが好ましく、前記入口部を閉状態にすることにより前記収容空間が閉空間になるものであることがより一層好ましい。
【００１１】
本発明の冷却手袋は、前記入口部が、挿入空間に手を挿入した際に小指側になる部分に設けられることが好ましい。また、前記収容空間は、前記挿入空間の両外側に設けられていることが好ましい。このように、収容空間を両外側に設ける場合は、前記挿入空間に対して一方側に設けられた前記収容空間及び他方側に設けられた前記収容空間の双方に、同一の入口部を介して前記冷却剤を出し入れ可能とすることがより一層好ましい。
【発明の効果】
【００１２】
本発明の冷却手袋は、冷却剤が収容される収容空間において外側を向く外面部の全部又は一部が、多層構造を有する布地によって構成されているため、冷却剤の冷気が外部に漏れにくい。そのため、本発明の冷却手袋によれば、冷却剤の保冷効果を長時間にわたって維持させることが可能であり、有害反応を防止したり緩和したりするために十分な冷却効果を発揮することができる。
【００１３】
また、本発明の冷却手袋は、前記外面部のうち、外側に露出した面（以下、「外表面」とも称す）の全部又は一部を凹凸状の断面形状を有する布地によって形成することにより、手を挿入した状態で、外表面で体や他部材に触れたとしても、体や他部材との接触面積（伝熱面積）が小さくなる。そのため、外表面を前記したような構成とすることにより、収容空間内に収容されている冷却剤の冷気が、外表面を介して漏洩するのを最小限に抑制することができる。
【００１４】
ここで、本発明の冷却手袋は、使用時に、収容空間内にある冷却剤と、挿入空間に差し込まれる手との間に内面部が介在した状態になるため、内面部と手との接触面積次第で、冷却剤から手への冷気の伝達具合が変わってくる。そこで、かかる知見に基づき、本発明の冷却手袋では、前記内面部のうち前記挿入空間側を向く面、すなわち挿入空間に手を差し込んだ際に手が触れる面を凹凸状の断面形状を有する布地によって形成している。そのため、本発明の冷却手袋では、内面部が一様に手に触れず、冷却剤の冷気が緩やかに手に伝わることとなり、使用者（患者）への負担を軽減することができる。また、冷却剤の冷気が急激に手に伝わらないため、冷却剤の保冷能力を長期にわたって維持させることも可能である。
【００１５】
また、本発明の冷却手袋は、前記内面部のうち、前記挿入空間側を向く面の全部又は一部を、連続する無数の網目状構造を有する布地によって形成することにより、網目構造部分によって形成される凹凸により内面部が一様に手に触れるのを防止することができる。よって、かかる構成とした場合についても、使用者（患者）の手が急激に冷却されるのを防止し、使用者の負担を軽減できると共に、冷却剤の保冷能力を長期にわたって維持させることが可能である。
【００１６】
本発明の冷却手袋は、内面部の全部又は一部を多層構造とすることによっても、冷却剤の冷気によって挿入空間内に差し込んだ手が急激に冷却されるのを防止し、使用者（患者）に作用する負担を軽減したり、冷却剤の保冷能力が短期間のうちに低下するのを防止したりすることができる。
【００１７】
上述した本発明の冷却手袋は、前記収容空間の開閉を自在にする入口部を有し、この入口部を介して前記収容空間に対して前記冷却剤を出し入れ自在なものとすることにより、必要に応じて冷却剤を取り出し、容易に洗浄することができる。また、本発明の冷却手袋は、前記した入口部を介して冷却剤を取り外すことにより、不使用時に小さく折りたたむ等してコンパクトな状態で保管することができる。また、本発明の冷却手袋は、前記した入口部を閉状態にすることにより前記収容空間が閉空間になる構成とすることにより、入口部を介して収容空間内に収容されている冷却剤の冷気が漏洩するのを防止でき、冷却剤の保冷能力を長期にわたって維持させることができる。なお、入口部は従来公知の線ファスナや面ファスナのようなファスナ、ボタン、ホックなどによって構成することができるが、入口部をしっかりと閉塞するとの観点からすると、ファスナのように全体にわたって閉塞可能なものであることが好ましい。
【００１８】
本発明の冷却手袋は、上述した入口部を挿入空間に手を挿入した際に小指側になる部分に設けることにより、大きな開口領域を確保することができ、冷却剤の出し入れを行う上での利便性をより一層向上させることができる。また、本発明の冷却手袋は、収容空間を前記挿入空間の両外側に設けることにより、手の甲および手のひらの双方から手を冷却することができ、有害反応を防止したり緩和したりするために十分な冷却効果を発揮することができる。
【００１９】
また、上述したように収容空間を両外側に設ける場合において、前記挿入空間に対して一方側に設けられた前記収容空間及び他方側に設けられた前記収容空間の双方に、同一の入口部を介して前記冷却剤を出し入れ可能とすれば、単一の入口部を開閉するだけで両収容空間に対して冷却剤を出し入れすることができ、より一層利便性を向上させることができる。また、このような構成とすることにより、入口部の数を最小限に抑制し、冷却手袋全体としてシンプルな構成とすることができ、すっきりとした外観としつつ、製造コストを最小限に抑制することができる。
【図面の簡単な説明】
【００２０】
【図１】本発明の一実施形態にかかる冷却手袋を示す斜視図である
【図２】図１に示す冷却手袋の断面図である。
【図３】図１に示す冷却手袋で採用されている布地を示す図であり、（ａ）は正面図、（ｂ）は背面図である。
【図４】手袋本体の布地の組み合わせ状態を示す分解斜視図である。
【図５】（ａ）は内面用布地の縫合部分を示す正面図であり、（ｂ）は外面用布地の縫合部分を示す正面図である。
【図６】図１に示す冷却手袋の側面図であり、（ａ）は指先側から見た側面図、（ｂ）は親指側縁面から見た側面図、（ｃ）は小指側縁面から見た側面図、（ｄ）は挿入口側から見た側面図である。
【図７】図１に示す冷却手袋の装着状態を示す斜視図である。
【図８】ファスナの構成を示す正面図である。
【図９】図１に示す冷却手袋の小指側側面に設けられたファスナを開いた状態を示す斜視図である。
【図１０】図１に示す冷却手袋の親指側側面に設けられたファスナを開いた状態を示す斜視図である。
【図１１】冷却剤を示す正面図である。
【図１２】変形例に係る冷却手袋を示す斜視図である。
【図１３】図１２に示す冷却手袋を示す斜視図である。
【図１４】（ａ）は本体構成体を構成する布地の縫合部分を示す正面図であり、（ｂ）は本体構成体同士の縫合部分を示す正面図である。
【図１５】図１に示す冷却手袋を使用した際における挿入空間内の温度変化を示すグラフである。
【図１６】従来技術の冷却手袋を使用した際における挿入空間内の温度変化を示すグラフである。
【発明を実施するための形態】
【００２１】
続いて、本発明の一実施形態にかかる冷却手袋１０について、図面を参照しつつ詳細に説明する。なお、以下の説明において、「手の甲側」や、「手のひら側」、「親指側」、「小指側」、「指先側」等の文言は、特に断りのない限り、図７に示すように冷却手袋１０を右手に装着した状態を基準にしたものである。
【００２２】
図１に示すように、冷却手袋１０は、全体として従来公知の手袋と同様の外観を有し、全体が布地によって構成された手袋本体１１を有し、これに図１１に示すような冷却剤１４を入れて使用することができる。図２に示すように、冷却手袋１０は、手を挿入可能な挿入空間１２に加え、冷却剤１４を収容するための収容空間１６を有する点に特徴を有する。また、冷却手袋１０は、挿入空間１２と収容空間１６とを隔てる内面部１８や、収容空間１６の外面をなす外面部２０にも特徴を有する。
【００２３】
さらに具体的に説明すると、手袋本体１１は、複数枚の布地Ｘを縫い合わせることによって構成されている。本実施形態では、挿入空間１２の外郭をなす内面部１８を構成するために用いられる２枚の布地Ｘ（以下、「内面用布地」Ｘ１，Ｘ２とも称す）と、収容空間１６の外装をなす外面部２０構成を構成するために用いられる２枚の布地Ｘ（以下、「外面用布地」Ｘ３，Ｘ４とも称す）と、によって手袋本体１１の主要部が構成されている。
【００２４】
図３（ａ）に示すように、布地Ｘは、正面視した状態においてミット型、すなわち親指に相当する部分と、他の４本の指に相当する部分とが形成され、二股に分かれた形状とされている。図３（ｂ）に示すように、布地Ｘは、連続する無数の網目状構造が形成されたメッシュ状の面（以下、「メッシュ面」Ｐ１とも称す）と、全面にわたって起伏を有さない平滑な面（以下、「平滑面」Ｐ２とも称す）とが重なった多層構造（本実施形態では２層構造）を有する。言い換えれば、布地Ｘは、表面形状が凹凸状になったメッシュ面Ｐ１と、表面形状が一般的な布地と同様に平滑な平滑面Ｐ２とを有する。
【００２５】
挿入空間１２は、手を挿入するための空間であり、図６（ｄ）に示すように手を挿入するために設けられた挿入口３０を有する。挿入空間１２は、挿入口３０を除き、外周が内面部１８によって取り囲まれ、閉塞されている。図２や図４に示すように、内面部１８は、２枚の布地Ｘ（内面用布地Ｘ１，Ｘ２）を、それぞれメッシュ面Ｐ１を内側（挿入空間１２側）に向けて重ね合わせ、外周部分を、一部を除いて縫合することにより袋状に形成される。具体的には、内面用布地Ｘ１，Ｘ２は、図５（ａ）においてハッチングを付した縫合部Ｓ１において縫合される。これにより挿入空間１２が形成される。また、図２に示すように、内面部１８の内側に形成される挿入空間１２は、手を挿入した際に手が接触する面（以下、「手接触面」４０とも称す）が、メッシュ面Ｐ１によって構成される。従って、挿入空間１２に手を挿入した場合に手が接触する面積は、手接触面４０の全面積に対して小さい。
【００２６】
ここで、手接触面４０は、穴が開いている部分、すなわち凹状になっている部分があるため、この部分に空気が存在する。そのため、挿入空間１２に挿入した手が、手接触面４０が触れた状態において、冷却剤接触層４２との間に空気層が形成されることになり、当該部位においては他の部分に比べて手への熱伝熱が緩やかになる。従って、手接触面４０に手が触れても、手から冷却剤１４への伝熱および冷却剤１４から手への伝熱が緩やかとなり、手が過冷却されず、冷却剤１４の保冷能力も長期間にわたって維持させることができる。
【００２７】
図６（ｄ）に示すように、挿入口３０は、使用者が手を挿入可能なように開口している。また、図７に示すように、挿入口３０は、挿入空間１２内に手を挿入した状態において手首近辺が到来する位置にある。挿入口３０の開口領域は、手を挿入した状態において手首との間にほとんど隙間ができない程度の大きさとされている。
【００２８】
また、収容空間１６は、冷却剤１４を収容するための空間である。図２に示すように、収容空間１６は、挿入空間１２や内面部１８の外側に形成され、外面部２０によって外面が形成された空間である。図２や図４に示すように、外面部２０は、２枚の布地Ｘ（外面用布地Ｘ３，Ｘ４）をそれぞれメッシュ面Ｐ１が外側に露出し、平滑面Ｐ２が内側を向くように重ね合わせ、外周部分を、一部を除いて縫合することにより袋状に形成されたものであり、この内部に上述した内面部１８が収容されている。具体的には、外面用布地Ｘ３，Ｘ４は、図５（ｂ）にハッチングを付した縫合部Ｓ３において縫合されている。これにより、図２に示すように挿入空間１２に対して両外側、すなわち手を挿入した際に手の甲側および手のひら側となる部分に、内面部１８を介して収容空間１６が形成された構成とされている。
【００２９】
また、図５（ｂ）に示すように、外面部２０をなす外面用布地Ｘ３，Ｘ４は、内面部２０と挿入口３０に相当する部分や、外周部分の一部において内面部１８をなす内面用布地Ｘ１，Ｘ２と縫合により一体化されている。具体的には、外面用布地Ｘ３，Ｘ４は、挿入口３０に相当する部分のほか、装着時に親指側となる部分にある縫合部Ｓ６、指先側になる部分にある縫合部Ｓ７において内面用布地Ｘ１，Ｘ２と縫合され、一体化されている。そのため、外面部２０の内側で内面部１８や挿入空間１２が位置ずれしない。
【００３０】
図５（ｂ）においてハッチングＳ４で示すように、手袋本体１１は、外面部２０をなす外面用布地Ｘ３，Ｘ４のうち、挿入空間１２に手を挿入した状態において小指側となる部分（以下、「小指側縁部」２２とも称す）が、挿入口３０側から小指の先端側に至る部分まで縫合されていない。外面用布地Ｘ３，Ｘ４の小指側縁部２２の非縫合部分Ｓ４は、収容空間１６に対して冷却剤１４を出し入れするための入口部２４として機能する部分である。図１や図６（ｃ），（ｄ）に示すように、入口部２４に相当する部分には、ファスナ２６（線ファスナ）が取り付けられており、これを開閉することにより入口部２４を開閉することができる。
【００３１】
図９に示すように、手袋本体１１は、ファスナ２６を開くと、内面部１８によって内部空間が手の甲側および手のひら側に仕切られた状態になっており、手の甲側の空間および手のひら側の空間のそれぞれが収容空間１６，１６として機能する。ここで、上述したように、外面部２０，２０を構成する外面用布地Ｘ３，Ｘ４および内面部１８をなす内面用布地Ｘ１，Ｘ２は、いずれも平滑面Ｐ２を収容空間１６側に向けた状態で縫製されている（図２参照）。そのため、収容空間１６は、平滑面Ｐ２によって囲まれた領域になっており、その分だけ冷却剤１４と収容空間１６との接触面積は大きい。
【００３２】
また、図１や図６（ｂ）に示すように、手袋本体１１は、挿入空間１２内に手を挿入した状態において親指側になる縁（以下、「親指側縁部」３２とも称す）にファスナ３４が取り付けられている。ファスナ３４は、挿入口３０に相当する位置から親指側縁部３２の中途にまで至っている。さらに詳細には、ファスナ３４の長さは、親指側縁部３２の全長の１／３〜２／３の長さに相当する。
【００３３】
ファスナ３４は、従来公知の線ファスナにより構成されている。図８に示すように、ファスナ３４は、多数の歯３４ａを並べて取り付けたテープ状の基材３４ｂを２つ有し、これらの間に設けられたスライダ３４ｃを基材３４ｂに沿ってスライドさせることにより開閉可能とされている。基材３４ｂ，３４ｂのうちの一方は、手の甲側になる内面用布地Ｘ１の親指側縁部３２および外面用布地Ｘ３の親指側縁部３２と一緒に縫いつけられている。同様に、基材３４ｂ，３４ｂのうちの他方は、手のひら側になる内面用布地Ｘ２の親指側縁部３２および外面用布地Ｘ４の親指側縁部３２と一緒に縫いつけられている。
【００３４】
すなわち、基材３４ｂ，３４ｂのうち一方は、図５（ａ），（ｂ）にハッチングで示す内面用布地Ｘ１および外面用布地Ｘ３のファスナ取付部Ｓ２，Ｓ５に縫いつけられている。同様に、基材３４ｂ，３４ｂのうち他方は、図５（ａ），（ｂ）にハッチングで示す内面用布地Ｘ２および外面用布地Ｘ４のファスナ取付部Ｓ２，Ｓ５に縫いつけられる。そのため、図１０に示すように、ファスナ３４を開くと、挿入空間１２への入口となる挿入口３０の間口が広がる。また逆にファスナ３４を閉じると、図１や図７のように挿入口３０の間口が狭くなる。従って、ファスナ３４を開くことにより、手首部分が衣服でふくらんだり、薬剤の使用により手首部分がむくんだりしていても挿入口３０に対して手を容易に出し入れすることができる。また、手を挿入口３０から挿入した後、ファスナ３４を閉めることが可能なところまで閉めることにより、図７に示すように手首と挿入口３０との間にほとんど隙間がない状態にすることができる。
【００３５】
冷却手袋１０は、上記したようにして形成された手袋本体１１の収容空間１６，１６に冷却剤１４を入れて使用することができる。冷却剤１４は、上述した布地Ｘと同様にミット状の形状に成形された樹脂製の袋１４ａの内部に、ゲル１４ｂが袋１４ａ内全体に行き渡るように収容されたものである。冷却剤１４は、手袋本体１１の小指側縁部２２に設けられた入口部２４を介して収容空間１６に出し入れすることができる。
【００３６】
ここで、上述したように、手袋本体１１は、ファスナ２６を開くと、手の甲側および手のひら側の収容空間１６，１６の双方と、入口部２４とが連通した状態になる。そのため、冷却手袋１０は、ファスナ２６を開くだけで収容空間１６，１６の双方に冷却剤１４，１４を出し入れすることができる。従って、冷却手袋１０は、使用に備えて冷却剤１４，１４を冷蔵庫等での冷却や手袋本体１１の洗濯等のために、適宜収容空間１６，１６から冷却剤１４，１４を取り出すことができる。また、冷却手袋１０は、冷却剤１４を取り外すことにより、不使用時に手袋本体１１を小さく折りたたむ等してコンパクトな状態で保管することができる。
【００３７】
上記したように、冷却手袋１０は、外面部２０が、多層構造を有する布地Ｘ（外面用布地Ｘ３，Ｘ４）によって構成されているため、冷却剤１４の冷気が外部に漏れにくい。また、外面用布地Ｘ３，Ｘ４は、断面形状が凹凸状になっているメッシュ面Ｐ１が手袋本体１１の外表面を構成しているため、仮に外表面が体などに触れたとしても、体などとの接触面積（伝熱面積）が小さい分、冷却剤１４の冷気が外面用布地Ｘ３，Ｘ４を介して漏洩するのを最小限に抑制することができる。そのため、冷却手袋１０によれば、冷却剤１４の保冷効果を長時間にわたって維持させることが可能であり、有害反応を防止したり緩和したりするために十分な冷却効果を発揮することができる。
【００３８】
また、冷却手袋１０は、内面部１８のうち挿入空間１２側を向き、手を差し込んだ際に触れる面がメッシュ面Ｐ１となっている。そのため、冷却手袋１０の使用時には、内面部１８全体が手に触れることにならず、接触面積が比較的小さい。よって、冷却手袋１０を手に装着した場合、冷却剤１４の冷気が緩やかに手に伝わる。また、メッシュ面Ｐ１に形成された穴（凹部）には、熱伝達効率の低い空気が存在することになるため、これによっても冷却剤１４の冷気が手に伝わるのを緩やかにすることができる。さらに、内面部１８は、メッシュ面Ｐ１および平滑面Ｐ２を有する２層構造とされているため、その分だけ伝熱が緩やかである。従って、本実施形態の冷却手袋１０によれば、使用者（患者）にかかる負担を軽減すると共に、冷却剤１４の保冷能力を長期にわたって維持させることも可能である。
【００３９】
上述したように、冷却手袋１０は、入口部２４に設けられたファスナ２６を閉じることにより、収容空間１６を閉空間とすることができるため、冷却剤１４の冷気が入口部２４から漏洩するのを防止でき、冷却剤１４の保冷能力を長期にわたって維持させることができる。また、上記実施形態では、入口部２４が小指側縁部２２に設けられているため、親指側縁部３２に入口部２４を設ける場合よりも大きな開口領域を確保することができる。そのため、冷却手袋１０は、入口部２４を介して冷却剤１４を容易に出し入れでき、利便性に優れている。
【００４０】
上記したように、冷却手袋１０は、挿入空間１２に対して手の甲側および手のひら側の双方に収容空間１６，１６を有し、これらに冷却剤１４，１４を収容させることにより手を冷却剤１４で挟み込むようにして冷却することができる。そのため、冷却手袋１０は、薬剤による有害反応を防止したり緩和したりするために十分な冷却効果を発揮することができる。なお、上記した冷却手袋１０は、挿入空間１２に対して手の甲側および手のひら側の双方に収容空間１６，１６を設け冷却剤１４，１４を収容するものであったが、手の甲側あるいは手のひら側のいずれか一方の収容空間１６および冷却剤１４を有さない構成であってもよい。
【００４１】
上記した冷却手袋１０は、２枚の外面用布地Ｘ３，Ｘ３によって形成される袋状の空間の内側に、内面用布地Ｘ１，Ｘ２を縫製してなる袋状のものを収容した構成とすることにより、挿入空間１２や収容空間１６を形成したものであったが、本発明はこれに限定されるものではなく、これとは異なる縫製方法で挿入空間１２や収容空間１６を形成した冷却手袋５０のようなものであってもよい（図１２参照）。以下、上述した冷却手袋１０と同一の構成については同一の符号を付しつつ、冷却手袋５０の構成について具体的に説明する。
【００４２】
冷却手袋５０を構成する手袋本体５１は、２枚の布地Ｘをメッシュ面Ｐ１，Ｐ１が互いに外を向き、平滑面Ｐ２が互いに内側に向くようにして重ね合わせて縫製することで内部に収容空間１６が形成されたもの（以下、「本体構成体」５２とも称す）を２組用意し、これらをさらに縫合することで本体構成体５２，５２の間に挿入空間１２を形成したものである。さらに具体的には、本体構成体５２は、前述したように重ね合わせた２枚の布地を、図１４（ａ）においてハッチングを付した縫合部Ｔ１において縫製すると共に、小指側の部分（以下、「小指側縁部」５４とも称す）に設けられたファスナ取付部Ｔ３にファスナ５６を取り付けることにより形成されている。また、本体構成体５２，５２は、図１４（ｂ）でハッチングを付したように、小指側縁部５４から本体構成体５２，５２の親指側の縁部（以下、「親指側縁部」６０とも称す）の中途に至るまでの外縁部分に当たる縫合部Ｔ４において互いに縫合され、一体化されている。これにより、本体構成体５２，５２の間に挿入空間１２が形成されている。
【００４３】
本体構成体５２においてファスナ５６が取り付けられた部分は、本体構成体５２内に形成された収容空間１６に対して冷却剤１４を出し入れするための入口部５８として機能する。冷却手袋５０では、各本体構成体５２，５２のそれぞれに入口部５８，５８およびファスナ５６，５６が設けられている。そのため、小指側縁部５４にファスナ５６，５６が二つほぼ平行に並んで設けられている。
【００４４】
また、図１４（ａ）でハッチングを付したように、各本体構成体５２，５２の親指側縁部６０には、ファスナ取付部Ｔ５が設けられており、ここにファスナ６２が取り付けられている。ファスナ６２は、上述したファスナ３４と同様に線ファスナによって構成されており、歯６２ａが取り付けられた一対の基材６２ｂと、スライダ６２ｃとを有する。図１３に示すように、一対の本体構成体５２，５２のうち一方のファスナ取付部Ｔ５に一方の基材６２ｂが縫合され、他方の本体構成体５２のファスナ取付部Ｔ５にもう一方の基材６２ｂが縫合されている。そのため、手袋本体５１は、上述した手袋本体１１と同様に、ファスナ６２を開閉することにより挿入空間１２に手を挿入するための挿入口３０の間口の大きさを適宜調整することができる。
【００４５】
上述した冷却手袋５０は、手袋本体５１を構成する布地Ｘの縫製方法が冷却手袋１０の手袋本体１１と相違するが、布地Ｘを構成するメッシュ面Ｐ１や平滑面Ｐ２の向きや挿入空間１２、収容空間１６、内面部１８、外面部２０などの基本的構造が冷却手袋１０と共通している。そのため、冷却手袋５０のような構成とした場合についても、冷却手袋１０と同様に冷却剤１４の保冷効果を長時間にわたって維持させることが可能であり、有害反応を防止したり緩和したりするために十分な冷却効果を発揮することができる。また、冷却手袋５０によっても、使用者の手が急激に冷却されるのを防止でき、使用者（患者）にかかる負担を軽減することができる。
【００４６】
なお、上記した冷却手袋５０では、本体構成体５２毎にファスナ５６を設けた構成を例示したが、本発明はこれに限定されるものではなく、上記した冷却手袋１０と同様に入口部２４となる部分を１カ所にまとめ、単一のファスナ５６によって開閉可能な構成とすることも可能である。これとは逆に、上記した冷却手袋１０において１カ所にまとめられていた入口部２４を各収容空間１６に設け、それぞれにファスナ２６を取り付けた構成としてもよい。
【００４７】
なお、上記実施形態では。冷却手袋１０，５０を構成する布地Ｘ（内面用布地Ｘ１，Ｘ２や外面用布地Ｘ３，Ｘ４）として２層構造の布地Ｘを採用した例を例示したが、本発明はこれに限定されるものではなく、さらに多層構造のものを採用してもよい。また、布地Ｘは、メッシュ面Ｐ１を設けることにより、片面を凹凸形状としたものであったが、本発明はこれに限定されるものではなく、凹凸を有する面であればいかなるものであってもメッシュ面Ｐ１に代替させることが可能である。さらに、布地Ｘは、片面全体がメッシュ面Ｐ１となっており凹凸状の断面形状を有するものであったが、凹凸を有する部分が面全体の一部であってもよい。
【００４８】
上記実施形態では、ファスナ２６，３４，５６，６２として従来公知の線ファスナを用いた構成を例示したが、本発明はこれに限定されるものではなく、面ファスナや、ボタン、ホックなどをファスナ２６，３４の代わりに用いてもよい。
【実施例１】
【００４９】
続いて、上述した冷却手袋１０を使用した際における挿入空間１２内の温度変化を、従来技術の冷却手袋を用いた場合と比較した実験結果について説明する。
（実験条件）
冷却手袋１０と従来の冷却手袋とをマイナス２０［℃］に設定したフリーザで一晩放置して十分に冷却した。各手袋をフリーザから取り出し、室温を２３［℃］に設定した検査台の上に放置し、手袋内部の中指の付け根付近の温度を測定した。温度測定は、データロガー温度計ＣＴ−１３０７、センサＬＫ−３００Ｗ（株式会社カスタム製）を用いて行った。
【００５０】
以下に、上記した実験結果について説明する。図１５に示すように、冷却手袋１０を用いた場合は、挿入空間１２内の温度上昇が緩やかであり、試験開始から１８０［分］が経過した時点でようやく０［℃］を超えた。これに対し、従来技術の冷却手袋を用いた場合は、図１６に示すように、試験開始後まもなく挿入空間１２内の温度が大幅に上昇しはじめ、試験開始から４０［分］程度で０［℃］を超えた。これにより、上述した冷却手袋１０を用いれば、従来技術の冷却手袋を用いた場合よりも保冷時間を長くとると共に、急激な温度変化による患者への負担を抑制できることが判明した。
【実施例２】
【００５１】
続いて、本発明の冷却手袋１０の有害反応の防止効果について、従来技術の冷却手袋と比較した臨床試験結果について説明する。本臨床試験では、冷却手袋の、癌患者への抗癌剤投与による爪障害発生の防止効果を検証した。
【００５２】
（臨床試験の方法）
癌周術期及び癌再発期の乳癌患者１６１名を被験者とした。そのうち、冷却手袋１０を使用した試験群が３９名、従来の冷却手袋を使用した試験群が７０名、冷却手袋を使用しなかった試験群が５２名であった。
【００５３】
冷却手袋の使用方法は以下の通りとした。被験者にタキソテール（登録商標、サノフィ・アヴェンティス株式会社）による抗癌剤投与を行う際、抗癌剤投与開始１５分前から、抗癌剤の投与の６０分、さらに投与終了から１５分後までの合計９０間、被験者の両手に冷却手袋を装着させた。冷却手袋は、温度をマイナス１０℃〜マイナス１５℃に設定した冷凍庫で十分に冷却したものを使用した。
【００５４】
また、従来技術の冷却手袋を使用した試験では、冷却手袋の保冷時間が短いため、使用中に温度が上がり、冷却効果を持続させることが難しかった。そこで、冷却手袋の装着開始後４５分の時点で、事前に冷却した、別の、従来技術の冷却手袋に交換した。
【００５５】
被験者に対する抗癌剤の投与は３週間に一度の頻度で行い、被験者一人につき４回以上の投与を行った。抗癌剤投与の後、医師、看護師又は薬剤師が、被験者の手の爪の状態を観察した。
【００５６】
被験者の爪の状態は、有害事象共通用語規準第３版（NCI Common Terminology Criteria for Adverse Events V3.0）に基づき、以下の通り４段階に分類した。Grade0は有害事象なしと認められるもの、Grade1は、変色、隆起（匙状爪）、陥凹が認められるもの、Grade2は部分的又は完全な爪の欠損、爪床痛が認められるもの、Grade3は日常生活に支障があると認められるもの、とした。
【００５７】
（臨床試験の結果）
上述の臨床試験の結果について説明する。新たに爪障害が発生した被験者（治療前はGrade0であったが、新たにGrade1又はGrade2となった被験者）が各試験群に占める割合を表１に示す。
【００５８】
【表１】
2010229614.tif 000003
【００５９】
以上の結果から、冷却手袋１０を用いた場合は、従来技術の冷却手袋を用いた場合よりも、抗癌剤の投与による爪障害の発生を効果的に予防できることが明らかとなった。また、冷却手袋１０は９０分間交換せずに使用した場合であっても、従来技術の冷却手袋を抗癌剤投与中に交換して使用した場合と同等以上の効果を奏した。したがって、本発明の冷却手袋は、長時間使用する際でも交換する必要がなく、さらに従来技術の冷却手袋よりも高い予防効果が期待できることが示唆された。
【符号の説明】
【００６０】
１０，５０                冷却手袋
１２                      挿入空間
１４                      冷却材
１６                      収容空間
１８                      内面部
２０                      外面部
２４                      入口部
２６，３４，５６，６２    ファスナ
Ｘ                      布地
Ｐ１                      メッシュ面
Ｐ２                      平滑面
【図２】
2010229614.tif 000004
【図３】
2010229614.tif 000005
【図４】
2010229614.tif 000006
【図５】
2010229614.tif 000007
【図８】
2010229614.tif 000008
【図１４】
2010229614.tif 000009
【図１５】
2010229614.tif 000010
【図１６】
2010229614.tif 000011
【図１】
2010229614.tif 000012
【図６】
2010229614.tif 000013
【図７】
2010229614.tif 000014
【図９】
2010229614.tif 000015
【図１０】
2010229614.tif 000016
【図１１】
2010229614.tif 000017
【図１２】
2010229614.tif 000018
【図１３】
2010229614.tif 000019